(57)【要約】【課題】音圧周波数特性におけるピークが弱められてスピーカの音質が向上し、しかも製造コストの安いスピーカを提供する。【解決手段】回転体形状に形成され内周部１ａに磁気ギャップに配置されるボイスコイルが固定され外周部１ｂがエッジを介してフレームに固定される振動板１が用いられており、前記ボイスコイルに音声信号を伝達する２本の錦糸線を前記振動板の中心から互いに異なる位置１ｃ、１ｃに固定した。【選択図】        図１
2008278111.tif 000002
【特許請求の範囲】
【請求項１】
回転体形状に形成され内周部に磁気ギャップに配置されるボイスコイルが固定され外周部がエッジを介してフレームに固定される振動板が用いられており、前記ボイスコイルに音声信号を伝達する２本の錦糸線を前記振動板の中心から互いに異なる位置に固定したことを特徴とするスピーカ。
【発明の詳細な説明】
【技術分野】
【０００１】
この発明はスピーカに係わり、特に、その振動板に関する。
【背景技術】
【０００２】
従来のスピーカ用振動板の例を図３および図４により説明する。図３は従来のスピーカに用いられる振動板の例を示す平面図、図４は同スピーカを示す部分断面図である。図に示す振動板４はコーン形状となっており、内周部４ａにはボイスコイル２が接着により固定されている。
【０００３】
振動板４の外周部４ｂは図５で説明するエッジを介してフレームに固定されている。ボイスコイル２の巻線は磁気ギャップに配置され、巻線の両端は振動板４の背面に貼着された帯状導体４ｄ、４ｄにより錦糸線固定位置４ｃ、４ｃに接続されている。錦糸線固定位置４ｃ、４ｃに半田付けされた錦糸線３、３は空間部を通りフレームに固定された端子板の端子に接続されている。
【０００４】
このように、磁気ギャップに配置されたボイスコイル２の巻線に錦糸線３、３を介して音声信号が伝達されると、ボイスコイル２が図４に矢印で示すように上下に振動して振動板４を振動させて音が発生する。
【０００５】
上記した振動板４では２つの錦糸線固定位置４ｃ、４ｃが振動板の中心から等距離に配置されていた。錦糸線固定位置４ｃ、４ｃは半田や錦糸線の重量を支えているため、他の部分より重量が大きくなるが、その位置が振動板の中心から等距離であるため、分割振動が分散される作用がない。
【０００６】
そのため、図４に点線で示すように周方向に同一波長の分割振動の定在波が発生する。この分割振動の共振周波数では強い音圧のピークが生じて、周波数特性が平坦とならず、スピーカの音質が劣化していた。
【０００７】
特開平１０−１２６８８１号公報に開示されたスピーカの例を図５により説明する。スピーカの振動板９は内周部に固定されたボイスコイル２の中心軸に直交する全ての軸関して非対称となっており、しかも、ボイスコイル２の中心に重心が位置するように質量バランスを板厚または振動板強化材の含浸により調整している。
【０００８】
振動板９の外周部はエッジ１０を介してフレーム７に固定されている。ボイスコイル２の巻線はフレーム７に固定された磁気回路５の磁気ギャップ６に配置され、巻線の両端は振動板９の背面に貼着された図示しない帯状導体により錦糸線固定位置に接続されている。錦糸線固定位置に半田付けされた図示しない錦糸線は空間部を通りフレームに固定された端子板の端子に接続されている。
【０００９】
内周がボイスコイル２に接着され外周がフレーム７に固定されたダンパー８はボイスコイル２の巻線の位置を磁気ギャップ６内に保つ。ボイスコイル２の上部に固定されたダストキャップ１１は磁気ギャップ６内にごみが入るのを防止する。
【００１０】
このように、磁気ギャップ６に配置されたボイスコイル２の巻線に錦糸線を介して音声信号が伝達されると、ボイスコイル２が上下に振動して振動板９を振動させて音が発生する。
【００１１】
このスピーカの振動板９は、ボイスコイル２の中心から等距離の位置で形状や質量が非対称であるため、分割振動の定在波の波長が周方向で異なり、音圧周波数特性におけるピークが弱められてスピーカの音質が向上する。しかしながら、振動板やフレーム等が回転体でないため、専用に金型が必要となり、さらに、振動板の素材も不均一であるため、製造コストが増大するという問題があった。
【００１２】
特開２００２−３７４５９４号公報に開示されたスピーカの例を図６により説明する。図６（ａ）に示すスピーカ用振動板１２には中心付近から放射状に配置されリブで形成された凸部１２ａ、１２ａ…が設けられている。
【００１３】
図６（ｂ）に示すスピーカ用振動板１３は周方向等間隔に稜線１３ａ、１３ａ…と溝線１３ｂ、１３ｂが形成され、稜線１３ｓと溝線１３ｂの間はスクリュープロペラ形状の傾斜部１３ｃとなっている。
【００１４】
図６（ａ）および図６（ｂ）に示すスピーカ用振動板は周方向で剛性が異なるため、分割振動の定在波の波長が周方向で異なり、音圧周波数特性におけるピークが弱められてスピーカの音質が向上する。しかしながら、振動板にリブや異形部を設けるため、金型や成形のコストが増大するという問題があった。
【特許文献１】特開平１０−１２６８８１号公報、段落０００９〜段落００１０、図２
【特許文献２】特開２００２−３７４５９４号公報、段落０００２、段落００１２〜段落００１６、図１、図５
【発明の開示】
【発明が解決しようとする課題】
【００１５】
この発明は上記した点に鑑みてなされたものであって、その目的とするところは、音圧周波数特性におけるピークが弱められてスピーカの音質が向上し、しかも製造コストの安いスピーカを提供することにある。
【課題を解決するための手段】
【００１６】
この発明のスピーカは、回転体形状に形成され内周部に磁気ギャップに配置されるボイスコイルが固定され外周部がエッジを介してフレームに固定される振動板が用いられており、前記ボイスコイルに音声信号を伝達する２本の錦糸線を前記振動板の中心から互いに異なる位置に固定したものである。
【発明の効果】
【００１７】
この発明のスピーカによれば、振動板の２本の錦糸線を固定する位置が中心から異なる位置にあるため、振動板の重量バランスが半径方向で不均一となり、分割共振が分散されて音圧のピークが弱くなり、周波数特性が平坦に近付く。しかも、これによりコストが増大することがない。
【発明を実施するための最良の形態】
【００１８】
以下この発明を実施するための最良の形態を実施例に即して説明する。図１は、この発明の実施例であるスピーカに用いられる振動板を示す平面図、図２は同スピーカを示す部分断面図である。
【００１９】
図に示す振動板１はコーン形状となっており、内周部１ａにはボイスコイル２が接着により固定されている。振動板１の外周部１ｂは図５で説明したエッジを介してフレームに固定されている。ボイスコイル２の巻線は磁気ギャップに配置され、巻線の両端は振動板１の背面に貼着された帯状導体１ｄ、１ｄにより錦糸線固定位置１ｃ、１ｃに接続されている。錦糸線固定位置１ｃ、１ｃに半田付けされた錦糸線３、３は空間部を通りフレームに固定された端子板の端子に接続されている。
【００２０】
このように、磁気ギャップに配置されたボイスコイル２の巻線に錦糸線３、３を介して音声信号が伝達されると、ボイスコイル２が図２に矢印で示すように上下に振動して振動板１を振動させて音が発生する。
【００２１】
上記した振動板１では２つの錦糸線固定位置１ｃ、１ｃが振動板の中心から異なる距離に配置されている。錦糸線固定位置１ｃ、１ｃは半田や錦糸線の重量を支えているため、他の部分より重量が大きくなるが、その位置が振動板の中心から異なる距離であるため、分割振動が分散される。また、錦糸線固定位置１ｃ、１ｃは剛性が高くなるため、定在波の節となりやすい。
【００２２】
そのため、図２に点線で示すように分割振動は周方向で異なる波長の定在波となる。この分割振動の共振周波数では分割振動が弱められ、スピーカの音質が向上し、しかも製造コストは図３および図４で説明した従来のスピーカと変らない。
【００２３】
実施例は以上のように構成されているが発明はこれに限られず、例えば、振動板の形状はコーン（円錐形）に限られず中高のラッパ形状としてもよい。
【図面の簡単な説明】
【００２４】
【図１】この発明の実施例であるスピーカに用いられる振動板を示す平面図である。
【図２】同スピーカを示す部分断面図である。
【図３】従来のスピーカに用いられる振動板の例を示す平面図である。
【図４】同スピーカを示す部分断面図である。
【図５】従来のスピーカの他の例を示す断面図である。
【図６】従来のスピーカに用いられる振動板の他の例を示す平面図である。
【符号の説明】
【００２５】
１  振動板、１ａ  内周部、１ｂ  外周部、１ｃ  錦糸線固定位置、１ｄ  帯状導体
２  ボイスコイル
３  錦糸線
４  振動板、４ａ  内周部、４ｂ  外周部、４ｃ  錦糸線固定位置、４ｄ  帯状導体
５  磁気回路
６  磁気ギャップ
７  フレーム
８  ダンパー
９  振動板
１０  エッジ
１１  ダストキャップ
１２  振動板、１２ａ  凸部
１３  振動板、１３ａ  稜線、１３ｂ  溝線、１３ｃ傾斜部
【図１】
2008278111.tif 000003
【図２】
2008278111.tif 000004
【図３】
2008278111.tif 000005
【図４】
2008278111.tif 000006
【図５】
2008278111.tif 000007
【図６】
2008278111.tif 000008